(57)【要約】【課題】  携帯機器のケーブルを簡単に収容することができ、ケーブルの損傷や巻き込み事故を未然に防止できるようにした上着を提供する。【解決手段】  携帯機器のケーブル（３３）を前身頃の表面に沿って概略上下方向に案内する案内袋（１）を備えた上着（２）であって、該案内袋（１）は前身頃の表面に対向して配置された２つのフラップを備え、両フラップはファスナーによって開閉自在にされていることを特徴とするケーブル収納型上着。両フラップは、上着の前身頃の下端から肩部付近まで延在することが好ましく、ファスナーはスライドファスナーであることが好ましい。両フラップは、前身頃に止着されたスライドファスナーのテープ部からなってもよい。【選択図】          図１
2006249627.tif 000002
【特許請求の範囲】
【請求項１】
携帯機器のケーブル（３３）を前身頃の表面に沿って概略上下方向に案内する案内袋（１）を備えた上着（２）であって、該案内袋（１）は前身頃の表面に対向して配置された２つのフラップ（４，４）を備え、両フラップ（４，４）はファスナー（５，７）によって開閉自在にされていることを特徴とするケーブル収納型上着。
【請求項２】
前記両フラップ（４，４）は、上着の前身頃の下端から肩部付近まで延在する請求項１に記載の上着。
【請求項３】
ファスナーがスライドファスナー（５）である請求項１又は２に記載の上着。
【請求項４】
前記両フラップ（４，４）は、前身頃に止着されたスライドファスナー（５）のテープ部からなる請求項３に記載の上着。
【発明の詳細な説明】
【技術分野】
【０００１】
本発明は、トランシーバーなどの携帯用無線機、ヘッドセット付きオーディオ機器、ウェアラブルコンピュータなどの個人携帯情報端末などの携帯機器のケーブルを簡単に収容できる上着に関する。
【背景技術】
【０００２】
従来、工事現場などでは、作業員が監視所からの指示に従って作業を行ったり、監視所からの警告を受ける必要がある場合、作業員はトランシーバーなどの無線機を携帯しながら作業を行っている。
この場合、トランシーバーとしては、作業服の上着や腰ベルトに装着できるようにされた装置本体及び蓄電池と、保護帽に装着できるようにされた受話器とを備え、該装置本体と該受話器とがケーブルで接続された形式のものが用いられる。装置本体を収容する収容具については従来各種の提案がなされている（特許文献１〜３参照）。
しかし、作業員がこのトランシーバーを身につけた際、装置本体と受話器との間に接続されたケーブルが、作業員の腰から頭まで弛んだ状態で延びることになるので、通常、作業服の上着の外側にクリップ等で固定しておくことが多い。
【０００３】
しかし、クリップによる固定では、作業時にクリップが外れることがあり、また、ケーブルが露出しているため、作業中にケーブルを引っ掛けて切断したり、回転機器に巻き込まれる危険性があり、作業員に対する十分な安全対策が施されているとは言い難い。
また、ケーブルを露出させないためには、ケーブルを作業服の中に通すことも考えられるが、作業服の装着感が悪くなり、また、服を脱ぐときにケーブルが絡まるので面倒である。
【０００４】
さらに、近年、ヘッドセット付きオーディオ機器や、ウェアラブルコンピュータなどの個人携帯情報端末が数多く販売されている。このような個人情報端末の場合も、多くは、装置本体とヘッドセットまたは顔面に装着する表示器とがケーブルによって連結され、このケーブルが上着の表面に露出された状態で使用されることが多い。
上記と同様に、この場合も、ケーブルを引っ掛けて切断したり、自転車やオートバイを運転する際などには巻き込み事故の危険性があり、安全対策としても十分でない。
【０００５】
【特許文献１】特許第３３４３５５２号公報
【特許文献２】特開２０００−１１００１５号公報
【特許文献３】実用新案登録第３０６９３１８号公報
【発明の開示】
【発明が解決しようとする課題】
【０００６】
そこで、本発明は、上述のような携帯機器のケーブルを簡単に収容することができ、ケーブルの損傷や巻き込み事故を未然に防止できるようにした上着を提供することを目的とする。
【課題を解決するための手段】
【０００７】
本発明によれば、携帯機器のケーブルを前身頃の表面に沿って概略上下方向に案内する案内袋を備えた上着であって、該案内袋は前身頃の表面に対向して配置された２つのフラップを備え、両フラップはファスナーによって開閉自在にされていることを特徴とするケーブル収納型上着が提供される。
【０００８】
本発明の上着は、作業服、ジャンパー、ウインドブレーカー、チョッキなど各種の上着であってよい。また、案内袋は、そこにケーブルを通過させることができるように、両端が開口していればよい。案内袋を構成する２つのフラップは、上着の前身頃の下端から肩部付近まで延在することが好ましく、両フラップを開閉自在に構成するためのファスナーとして、スライドファスナー、面ファスナー、ホック等の公知のものを使用できるが、操作性の点からスライドファスナーが最も好ましい。
【発明の効果】
【０００９】
本発明の上着によれば、携帯機器のケーブルを簡単に収容することができ、ケーブルの損傷や巻き込み事故を未然に防止できる。
【発明を実施するための最良の形態】
【００１０】
以下、本発明を図示の具体例に基づいて説明するが、本発明は該具体例のみに限定されるものではない。
【００１１】
図１は、作業服の腰ベルトに装着できるようにされた装置本体３１と、保護帽８に装着できるようにされた受話器３２とを備えてなるトランシーバーを使用する作業者が着用するのに好適な作業服に本発明を適用した例を示す。すなわち、右前身頃の表面に沿って前身頃の下端から肩部付近まで延在する案内袋１を備えた作業服２を示す。該案内袋１は両端が開口され、作業服２の腰ベルトに装着できるようにされた装置本体３１から保護帽８に装着できるようにされた受話器３２までを結ぶケーブル３３を両端間に挿通させて、収容及び案内する。
【００１２】
案内袋１は対向して配置された１対の細長のフラップ４，４を備えている。図２および図３に示されるように、フラップ４，４のそれぞれは、作業服２の右前身頃の布地を裏側に２回折り曲げ、この折り曲げ部４１にスライドファスナー５のテープ部を挟み込むとともに縫い付けて形成されている。かくして、該フラップ４，４は、スライドファスナー５のテープ部から構成され、スライドファスナー５の引き手５５を上昇させてファスナー留め金５１，５１を相互に係合させることにより、相互に連結し、案内袋１を閉じることができる。
【００１３】
また、該フラップ４，４は、スライドファスナー５の引き手（図示せず）を降下させてファスナー留め金５１，５１の下端まで引き下げ、ファスナー留め金５１、５１同士の係合を解除させることにより、相互に分離し、案内袋１を開くことができる。かくして開かれた案内袋１にケーブル３３を収容し、スライドファスナー５の引き手５５をファスナー留め金５１、５１の上端まで引き上げ、ファスナー留め金５１、５１同士を係合せしめることにより案内袋１は閉止され、ケーブル３３は、作業服の右前身頃できた襞内により上下方向に案内される。
【００１４】
図２及び図３から明らかなように、案内袋１はその外側（図２および図３のそれぞれにおける上方）の幅が内側（図２および図３のそれぞれにおける下方）の幅よりも狭くされているので、ファスナー留め金５１，５１同士を係合せしめて案内袋１を閉止したときに、作業服の右前身頃に襞ができる。この場合、装着感が良くなくなるため、このような襞が生じないように、図２および図３に示された案内袋において、１対のフラップ４、４の何れか一方または両方の幅を広くしたり、フラップ４、４を伸縮性および／または柔軟性が大きい布地としてもよい。
【００１５】
他の実施の形態の案内袋を図４および図５に示す。図４に示された案内袋１は、右前身頃の布地を折り返すことなく、弛ませた作業服２の布地に、スライドファスナー５のテープ部の端縁部を直接縫い付け、当該テープ部がフラップ４、４として機能するように形成されている。
【００１６】
図５に示された案内袋１は、図４に示された案内袋１において、スライドファスナー５のテープ部の端縁に該テープ部の長さと等しい細長い布片６を継ぎ足したものを一方のフラップ４として弛ませた作業服２の布地に、直接、縫い付けたものである。
【００１７】
図６は、ファスナーとして面ファスナーを使用した案内袋を示している。すなわち、案内袋１は、図２および図３に示された案内袋１においてスライドファスナー５に代えて面ファスナー７が使用されている。複数の面ファスナー７…７が、互いに重なり合うフラップ４、４として設けられた布地４１、４１の合わせ目に配列されており、これによって案内袋を開閉自在にしている。
【産業上の利用可能性】
【００１８】
本発明は、装置本体と受話器とがケーブルで連結されたトランシーバーなどの携帯用無線機を使用しながら作業する作業員の作業服として有用なだけでなく、同様のケーブルを備えたヘッドセット付きオーディオ機器、ウェアラブルコンピュータなどの個人携帯情報端末などの携帯機器の使用者の上着として有用である。
【図面の簡単な説明】
【００１９】
【図１】本発明の作業服の具体例を示す正面図である。
【図２】図１の作業服をケーブルを収容した状態で示すＡ−Ａ断面図である。
【図３】図１の作業服をケーブルを収容する前の状態で示すＡ−Ａ断面図である。
【図４】他の実施の形態の案内袋を示す図３と同様の断面図である。
【図５】さらに他の実施の形態の案内袋を示す図３と同様の断面図である。
【図６】面ファスナーを使用した案内袋のフラップの構成を示し、（ａ）は正面図、（ｂ）は図３と同様の断面図である。
【符号の説明】
【００２０】
１…案内袋、２…作業服、３１…装置本体、３２…受話器、３３…ケーブル、４…フラップ、４１…布地、５…スライドファスナー、５１…ファスナー留金、６…布片、７…面ファスナー、８…保護帽。
【図１】
2006249627.tif 000003
【図２】
2006249627.tif 000004
【図３】
2006249627.tif 000005
【図４】
2006249627.tif 000006
【図５】
2006249627.tif 000007
【図６】
2006249627.tif 000008